【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
色材を含有する水性インクであって、
前記色材が、他の原子団及びアニオン性基を含む官能基が顔料の粒子表面に結合しているとともに、官能基導入量の標準偏差が０．０３８０以下である自己分散顔料であることを特徴とする水性インク。
【請求項２】
前記官能基導入量の標準偏差が、０．０３３０以下である請求項１に記載の水性インク。
【請求項３】
前記官能基導入量の標準偏差が、０．００００以上である請求項１又は２に記載の水性インク。
【請求項４】
前記官能基導入量の標準偏差が、０．０２００以上である請求項１又は２に記載の水性インク。
【請求項５】
前記官能基導入量が、０．１０ｍｍｏｌ／ｇ以上である請求項１乃至４のいずれか１項に記載の水性インク。
【請求項６】
前記官能基導入量が、１．００ｍｍｏｌ／ｇ以下である請求項１乃至５のいずれか１項に記載の水性インク。
【請求項７】
前記官能基導入量が、０．８０ｍｍｏｌ／ｇ以下である請求項１乃至５のいずれか１項に記載の水性インク。
【請求項８】
前記アニオン性基が、カルボン酸基、スルホン酸基、リン酸基、及びホスホン酸基からなる群より選ばれる少なくとも１種である請求項１乃至７のいずれか１項に記載の水性インク。
【請求項９】
前記顔料が、カーボンブラック及び有機顔料からなる群より選ばれる少なくとも１種である請求項１乃至８のいずれか１項に記載の水性インク。
【請求項１０】
前記官能基が、前記顔料の粒子表面に結合している前記他の原子団と、前記他の原子団に結合している前記アニオン性基と、で構成される請求項１乃至９のいずれか１項に記載の水性インク。
【請求項１１】
前記官能基が、−Ｒ−（ＣＯＯＭ1）n（式中、Ｒは他の原子団を表し、Ｍ1は、水素原子、アルカリ金属、アンモニウム、又は有機アンモニウムを表し、ｎは２以上の整数を表す）で表される構造を有する請求項１乃至１０のいずれか１項に記載の水性インク。
【請求項１２】
前記自己分散顔料の体積基準の粒子径分布の５０％累積値（Ｄ50）が、６０ｎｍ以上１２０ｎｍ以下である請求項１乃至１１のいずれか１項に記載の水性インク。
【請求項１３】
前記自己分散顔料の体積基準の粒子径分布の９０％累積値（Ｄ90）が、１００ｎｍ以上３００ｎｍ以下である請求項１乃至１２のいずれか１項に記載の水性インク。
【請求項１４】
前記自己分散顔料の含有量（％）が、インク全質量を基準として、０．１０質量％以上１５．００質量％以下である請求項１乃至１３のいずれか１項に記載の水性インク。
【請求項１５】
色材を含有する水性インクの製造方法であって、
前記色材が、他の原子団及びアニオン性基を含む官能基が顔料の粒子表面に結合しているとともに、官能基導入量の標準偏差が０．０３８０以下である自己分散顔料であり、
前記自己分散顔料を、下記一般式（１）で表される化合物からの水素原子の引き抜きによるラジカル付加反応によって、下記一般式（１）中のＲ1で表される基を前記顔料の粒子表面に結合させることによって製造することを特徴とする水性インクの製造方法。
ＨＮ＝Ｎ−Ｒ1    ・・・（１）
（前記一般式（１）中、Ｒ1は、脂肪族基及び芳香族基の少なくとも一方を有する基に、カルボン酸基、スルホン酸基、リン酸基、及びホスホン酸基からなる群より選ばれる少なくとも１種のアニオン性基が置換した基を表す）
【請求項１６】
色材を含有する水性インクの製造方法であって、
前記色材が、他の原子団及びアニオン性基を含む官能基が顔料の粒子表面に結合しているとともに、官能基導入量の標準偏差が０．０３８０以下である自己分散顔料であり、
前記自己分散顔料を、下記一般式（２）で表される化合物からの、下記一般式（３）で表される化合物によるハロゲン引き抜きによるラジカル付加反応によって、前記顔料の粒子表面にアニオン性基を含む官能基を結合させることによって製造することを特徴とする水性インクの製造方法。
2016027103.tif 000001
（前記一般式（２）中、Ｒ1は、ハロゲン原子を表し、Ｒ2は、アリール基又はヘテロアリール基を表し、Ｒ3は、水素原子、ニトロ基、シアノ基、トシル基、又はハロゲン原子を表し、ｘは１以上の整数を表す。Ｒ4は、アルキレン基、カルボニル基、エステル基、及びアミド基からなる群より選ばれる少なくとも１種の連結基を表し、ｙは０又は１を表す。Ｒ5は、カルボン酸基、スルホン酸基、リン酸基、及びホスホン酸基からなる群より選ばれる少なくとも１種のアニオン性基を表し、ｚは１以上の整数を表し、ｘ＋ｚは、Ｒ2が有しうる水素原子の数と等しい）
（Ｒ7）n−Ｎ−Ｎ−（Ｒ7）n    ・・・（３）
（前記一般式（３）中、Ｒ7は、それぞれ独立に、水素原子又はアルキル基を表し、ｎはそれぞれ独立に、１又は２を表す）
【請求項１７】
色材を含有する水性インクの製造方法であって、
前記色材が、他の原子団及びアニオン性基を含む官能基が顔料の粒子表面に結合しているとともに、官能基導入量の標準偏差が０．０３８０以下である自己分散顔料であり、
前記自己分散顔料を、下記一般式（４）で表される化合物、下記一般式（５）で表される化合物、及び下記一般式（６）で表される化合物からなる群より選ばれる少なくとも１種の処理剤を、顔料の粒子表面に反応させて、アニオン性基を含む官能基を前記顔料の粒子表面に結合させることによって製造することを特徴とする水性インクの製造方法。
2016027103.tif 000002
（前記一般式（４）中、Ｒ1は、脂肪族基及び芳香族基の少なくとも一方を有する基に、カルボン酸基、スルホン酸基、リン酸基、及びホスホン酸基からなる群より選ばれる少なくとも１種のアニオン性基が置換した基を表し、Ｒ2は、酸素原子又はＮＨを表す）
2016027103.tif 000003
（前記一般式（５）中、Ｒ3は、脂肪族基及び芳香族基の少なくとも一方を有する基に、カルボン酸基、スルホン酸基、リン酸基、及びホスホン酸基からなる群より選ばれる少なくとも１種のアニオン性基が置換した基を表す）
2016027103.tif 000004
（前記一般式（６）中、Ｒ4及びＲ5は、それぞれ独立に、脂肪族基及び芳香族基の少なくとも一方を有する基に、カルボン酸基、スルホン酸基、リン酸基、及びホスホン酸基からなる群より選ばれる少なくとも１種のアニオン性基が置換した基を表す）
【請求項１８】
インクと、前記インクを収容するインク収容部とを備えたインクカートリッジであって、
前記インクが、請求項１乃至１４のいずれか１項に記載の水性インクであることを特徴とするインクカートリッジ。
【請求項１９】
インクをインクジェット方式の記録ヘッドから吐出して記録媒体に画像を記録するインクジェット記録方法であって、
前記インクが、請求項１乃至１４のいずれか１項に記載の水性インクであることを特徴とするインクジェット記録方法。
【請求項２０】
インクをインクジェット方式の記録ヘッドから吐出して記録媒体に画像を記録するインクジェット記録方法であって、
前記インクが、請求項１５乃至１７のいずれか１項に記載の製造方法によって製造された水性インクであることを特徴とするインクジェット記録方法。
【手続補正２】
【補正対象書類名】明細書
【補正対象項目名】発明の名称
【補正方法】変更
【補正の内容】
【発明の名称】水性インク、水性インクの製造方法、インクカートリッジ、及びインクジェット記録方法
【手続補正３】
【補正対象書類名】明細書
【補正対象項目名】０００１
【補正方法】変更
【補正の内容】
【０００１】
本発明は、水性インク、水性インクの製造方法、インクカートリッジ、及びインクジェット記録方法に関する。
【手続補正４】
【補正対象書類名】明細書
【補正対象項目名】０００６
【補正方法】変更
【補正の内容】
【０００６】
したがって、本発明の目的は、均一性に優れた画像を記録することができる水性インクを提供することにある。また、本発明の別の目的は、前記水性インクの製造方法、前記水性インクを用いたインクカートリッジ、及びインクジェット記録方法を提供することにある。
【手続補正５】
【補正対象書類名】明細書
【補正対象項目名】０００８
【補正方法】変更
【補正の内容】
【０００８】
本発明によれば、均一性に優れた画像を記録することができる水性インクを提供することができる。また、本発明によれば、この水性インクの製造方法、この水性インクを用いたインクカートリッジ、及びインクジェット記録方法を提供することができる。